(57)【特許請求の範囲】
【請求項１】
複数の相を有する電動モータを駆動する駆動回路と、
前記駆動回路を制御する制御信号を出力する制御回路と、
前記制御回路と駆動回路とを接続して前記制御回路からの制御信号を前記駆動回路に伝送する、前記電動モータの相数よりも少ない数の信号線と、
前記電動モータの各相に対応して前記駆動回路に設けられた複数のスイッチング素子対の電源の高電位側に配置されたＨ側スイッチング素子を駆動するＨ側ドライバと低電位側に配置されたＬ側スイッチング素子を駆動するＬ側ドライバとを１組とする複数のスイッチング素子ドライバと、
前記制御回路に設けられ、前記複数のスイッチング素子ドライバをそれぞれ制御するための制御信号を変調して前記信号線に出力する変調回路と、
前記駆動回路に設けられ、前記信号線を介して伝送された制御信号を復調して前記複数のスイッチング素子ドライバに出力する復調回路と、を備え、
前記駆動回路は、前記信号線を伝送されるキャリア信号に基づいて通信の異常を検出する異常信号検出部を備えたことを特徴とする電動モータの駆動制御装置。
【請求項２】
複数の相を有する電動モータを駆動する駆動回路と、
前記駆動回路を制御する制御信号を出力する制御回路と、
前記制御回路と駆動回路とを接続して前記制御回路からの制御信号を前記駆動回路に伝送する、前記電動モータの相数よりも少ない数の信号線と、
前記電動モータの各相に対応して前記駆動回路に設けられた複数のスイッチング素子対の電源の高電位側に配置されたＨ側スイッチング素子を駆動するＨ側ドライバと低電位側に配置されたＬ側スイッチング素子を駆動するＬ側ドライバとを１組とする複数のスイッチング素子ドライバと、
前記制御回路に設けられ、前記複数のスイッチング素子ドライバをそれぞれ制御するための制御信号を変調して前記信号線に出力する変調回路と、
前記駆動回路に設けられ、前記信号線を介して伝送された制御信号を復調して前記複数のスイッチング素子ドライバに出力する復調回路と、
前記制御回路からの前記制御信号を伝送するように前記信号線と並列に接続された少なくとも１つの冗長信号線と、を備え、
前記駆動回路は、
前記信号線及び前記冗長信号線を含む複数の信号線の何れを前記復調回路に接続するかを切り換える信号線切換部と、
前記信号線を伝送されるキャリア信号に基づいて通信の異常を検出し、検出結果に基づいて前記信号線切換部を制御する異常検出部と
を備えたことを特徴とする電動モータの駆動制御装置。
【請求項３】
複数の相を有する電動モータを駆動する駆動回路と、
前記駆動回路を制御する制御信号を出力する制御回路と、
前記制御回路と駆動回路とを接続して前記制御回路からの制御信号を前記駆動回路に伝送する、前記電動モータの相数よりも少ない数の信号線と、
前記電動モータの各相に対応して前記駆動回路に設けられた複数のスイッチング素子対の電源の高電位側に配置されたＨ側スイッチング素子を駆動するＨ側ドライバと低電位側に配置されたＬ側スイッチング素子を駆動するＬ側ドライバとを１組とする複数のスイッチング素子ドライバと、
前記制御回路に設けられ、前記複数のスイッチング素子ドライバをそれぞれ制御するための制御信号を変調して前記信号線に出力する変調回路と、
前記駆動回路に設けられ、前記信号線を介して伝送された制御信号を復調して前記複数のスイッチング素子ドライバに出力する復調回路と、
前記変調回路からの前記制御信号を伝送するように前記複数のスイッチング素子ドライバのそれぞれと少なくとも１つずつ並列に接続された冗長スイッチング素子ドライバと、を備え、
前記駆動回路は、
前記復調回路からの制御信号を前記スイッチング素子ドライバ及び前記冗長スイッチング素子ドライバを含む複数のスイッチング素子ドライバの何れに伝送するかを切り換えるドライバ切換部と、
前記複数のスイッチング素子ドライバの消費電流を検出し、検出結果に基づいて前記ドライバ切換部を制御する電流検出部と
を備えたことを特徴とする電動モータの駆動制御装置。
【請求項４】
請求項１〜３の何れか１項に記載の電動モータの駆動制御装置において、
前記変調回路は、振幅変調、位相変調、周波数変調、又はパルス幅変調により前記制御信号を変調することを特徴とする電動モータの駆動制御装置。
【請求項５】
請求項１〜３の何れか１項に記載の電動モータの駆動制御装置において、
前記復調回路は、
前記信号線を伝送される制御信号をビットデータに変換するビットデータ変換部と、
前記ビットデータに基づいて制御信号の誤りを検出する誤り検出部と
を備えたことを特徴とする電動モータの駆動制御装置。
【請求項６】
請求項１〜３の何れか１項に記載の電動モータの駆動制御装置において、
前記駆動回路は、前記信号線を介して前記復調回路に入力される制御信号を周波数成分に基づいて前記電動モータを駆動するための第１の制御信号と他の電動モータを駆動するための第２の制御信号とに分配する分配回路を備えたことを特徴とする電動モータの駆動制御装置。
【発明の詳細な説明】
【技術分野】
【０００１】
本発明は、電動モータの駆動制御装置及び制御方法に関する。
【背景技術】
【０００２】
電動パワーステアリング制御装置などにおける電動モータの駆動制御装置は、設置スペースに制約があるため、より小型化することが求められる。このような電動モータの駆動制御装置を小型化するためには、例えば、装置を構成する制御回路（ＣＰＵ）やドライバＩＣの体格、或いは、それらを実装するための基板の面積等を縮小することが考えられる。一方で、制御回路やドライバＩＣ、基板には、それぞれ他の構成との間で信号の授受を行うための一定数の端子や配線の配置が必要であるため、電動モータの駆動制御装置の小型化には物理的な限界がある。【０００３】
そこで、ＣＰＵとドライバＩＣとの間の端子数および配線数少なくすることを目的として、例えば、特許文献１（特許第５５９００７７号公報）には、回転電機の複数の巻線の各相または各端子に対応し電源の高電位側に配置された第１スイッチング素子および低電位側に配置された第２スイッチング素子によりスイッチング素子対をなす複数のスイッチング素子を有し、第１スイッチング素子および第２スイッチング素子がオンオフ作動することにより、電源から回転電機へ供給する電力を変換する電力変換器と、巻線の各相または各端子に対応するよう複数設けられ、第１スイッチング素子のオン／オフ作動を指令するための第１指令信号および第２スイッチング素子のオン／オフ作動を指令するための第２指令信号を合成して合成信号を生成する合成信号生成部と、合成信号生成部に対応するよう複数設けられ合成信号生成部により生成された合成信号を出力する複数のＣＰＵ出力端子と、ＣＰＵ出力端子に対応して複数設けられ、複数の配線によって対応するＣＰＵ出力端子と電気的に接続された複数のＩＣ入力端子と、ＩＣ入力端子に入力された合成信号を分離して第１スイッチング素子のゲート信号である第１ゲート信号、および、第２スイッチング素子のゲート信号である第２ゲート信号を生成するゲート信号生成部とを備えた回転電機制御装置が開示されている。
【先行技術文献】
【特許文献】
【０００４】
【特許文献１】特許第５５９００７７号公報
【発明の概要】
【発明が解決しようとする課題】
【０００５】
しかしながら、上記従来技術においては、Ｎ相電動モータ（回転電機）を制御する場合には、制御回路の端子数、電動モータを駆動する駆動回路端子数、及びそれらを接続する配線数が電動モータの相数（Ｎ）だけ必要となる。したがって、配線の断線や短絡等のリスク回避のために配線の冗長化まで考慮すると端子数や配線数が大きく増加するため、電動モータの駆動制御装置の小型化のためには十分ではなかった。【０００６】
本発明は上記に鑑みてなされたものであり、端子数や配線数を削減することにより小型化を図ることができる電動モータの駆動制御装置を提供することを目的とする。
【課題を解決するための手段】
【０００７】
上記目的を達成するために、本発明は、複数の相を有する電動モータを駆動する駆動回路と、前記駆動回路を制御する制御信号を出力する制御回路と、前記制御回路と駆動回路とを接続して前記制御回路からの制御信号を前記駆動回路に伝送する、前記電動モータの相数よりも少ない数の信号線とを備えたものとする。
【発明の効果】
【０００８】
端子数や配線数を削減することにより小型化を図ることができる。
【図面の簡単な説明】
【０００９】
【図１】第１の実施の形態に係る電動モータの駆動制御装置が適用される電動パワーステアリング装置を周辺構成とともに概略的に示す図である。
【図２】第１の実施の形態に係る電動モータの駆動制御装置の全体構成を概略的に示す図である。
【図３】インバータ回路の出力と一組のドライバの出力の組み合わせの一例を示す図である。
【図４】３相電動モータの制御状態の組み合わせ数を示す図である。
【図５】変調回路および復調回路で用いる変調方法の例として振幅変調を示す図である。
【図６】変調回路および復調回路で用いる変調方法の例として位相変調を示す図である。
【図７】変調回路および復調回路で用いる変調方法の例として周波数変調を示す図である。
【図８】変調回路および復調回路で用いる変調方法の例としてパルス幅変調を示す図である。
【図９】第２の実施の形態に係る電動モータの駆動制御装置の全体構成を概略的に示す図である。
【図１０】第３の実施の形態に係る電動モータの駆動制御装置の全体構成を概略的に示す図である。
【図１１】第４の実施の形態に係る電動モータの駆動制御装置の全体構成を概略的に示す図である。
【図１２】第５の実施の形態に係る電動モータの駆動制御装置の全体構成を概略的に示す図である。
【図１３】第６の実施の形態に係る電動モータの駆動制御装置の全体構成を概略的に示す図である。
【発明を実施するための形態】
【００１０】
以下、本発明の実施の形態を図面を参照しつつ説明する。
【００１１】
＜第１の実施の形態＞
本発明の第１の形態を図１〜図８を参照しつつ説明する。
【００１２】
本実施の形態においては、本発明の電動モータの駆動制御装置の適用対象として電動パワーステアリング装置を例示して説明する。
【００１３】
図１は、本実施の形態に係る電動モータの駆動制御装置が適用される電動パワーステアリング装置を周辺構成とともに概略的に示す図である。
【００１４】
図１において、電動パワーステアリング装置１５０が搭載される自動車等の操舵装置においては、運転者がステアリングホイール１００を回転操作させることにより、ステアリングシャフト１４０を介してステアリングホイール１００と接続されたピニオンギア１７０が回転駆動され、ピニオンギア１７０の回転によってラック軸１８０が軸方向に直線駆動されることにより車輪２００が操舵される。
【００１５】
電動パワーステアリング装置１５０は、このような操舵装置のステアリングシャフト１４０に設置されており、操舵アシスト用の電動モータ１２０と、電動モータ１２０のトルクをステアリングシャフトに伝達する減速器１６０と、ステアリングホイール１００の操作によってステアリングシャフト１４０に発生する操舵トルクを検出する操舵トルクセンサ１１０と、操舵トルクの検出信号Ｓ１と車速信号Ｓ２とに基づいて電動モータ１２０の動作を制御する駆動制御装置１とから構成されている。このように、操舵アシスト用の電動モータ１２０の駆動によって、走行状態に応じたステアリングアシスト力が発生する。
【００１６】
図２は、本実施の形態に係る電動モータの駆動制御装置の全体構成を概略的に示す図である。
【００１７】
図２において、駆動制御装置１は、操舵トルクの検出信号Ｓ１と車速信号Ｓ２とに基づいて電動モータ１２０の制御に用いる制御信号を生成する制御回路（ＣＰＵ）２と、制御回路２から信号線８を介して伝送される制御信号に基づいて電動モータ１２０を駆動する駆動回路３とを備えている。制御回路２や駆動回路３は、例えば、信号線８等がプリントされた基板上に実装されている。
【００１８】
本実施の形態における電動モータ１２０は、例えば、Ｕ相、Ｖ相、Ｗ相の３相を有する３相電動モータであり、制御回路２と駆動回路３とを接続して制御回路２からの制御信号を駆動回路３に伝送する信号線８は、電動モータ１２０の相数（３相）よりも少ない数（１本）により構成されている。
【００１９】
制御回路２は、操舵トルクの検出信号Ｓ１と車速信号Ｓ２とに基づいて電動モータ１２０の制御に用いる制御信号を生成するマイコン６と、マイコン６で生成した制御信号を変調（変換）して変調信号を生成し、搬送波に重畳して信号線８に出力する変調回路７とを備えている。
【００２０】
駆動回路３は、電動モータ１２０に接続されたＵ相配線１２Ｕ、Ｖ相配線１２Ｖ、及びＷ相配線１２Ｗを介して接続された電動モータ１２０を駆動するインバータ回路５と、インバータ回路５を駆動する駆動信号（ゲート信号）を出力するインバータ用駆動回路（プリドライバＩＣ）４とを備えている。
【００２１】
インバータ回路５は、電動モータ１２０のＵ相配線１２Ｕ、Ｖ相配線１２Ｖ、Ｗ相配線１２Ｗにそれぞれ対応して、電源の高電位側に配置されたＨ側スイッチング素子１１ＵＨ，１１ＶＨ，１１ＷＨと低電位側に配置されたＬ側スイッチング素子１１ＵＬ，１１ＶＬ，１１ＷＬとを備えている。
【００２２】
インバータ用駆動回路４は、信号線８を介して伝送された制御信号（搬送波に重畳された変調信号）を復調（復元）する復調回路９と、復調回路９で復調した制御信号に基づいてインバータ回路５のＨ側スイッチング素子１１ＵＨ，１１ＶＨ，１１ＷＨをそれぞれオンオフ駆動（導通／遮断）する駆動信号（ゲート信号）を出力するＨ側ドライバ１０ＵＨ，１０ＶＨ，１０ＶＷと、Ｌ側スイッチング素子１１ＵＬ，１１ＶＬ，１１ＷＬをそれぞれオンオフ駆動（導通／遮断）する駆動信号（ゲート信号）を出力するＬ側ドライバ１０ＵＬ，１０ＶＬ，１０ＷＬとを備えている。
【００２３】
ここで、電動モータの制御方法として、３相電動モータである電動モータ１２０の制御方法を例示して説明する。
【００２４】
図３は、インバータ回路の出力と一組のドライバの出力の組み合わせの一例を示す図である。また、図４は、３相電動モータの制御状態の組み合わせ数を示す図である。
【００２５】
図３に示すように、例えば、一組のドライバとして電動モータ１２０のＵ相を制御する一組のスイッチング素子であるＨ側スイッチング素子１１ＵＨ及びＬ側スイッチング素子をそれぞれ制御するＨ側ドライバ１０ＵＨとＬ側ドライバ１０ＵＬについて考えると、電動モータ１２０のＵ相を３通りの信号（＋，０，−）で制御するとした場合、Ｈ側ドライバ１０ＵＨとＬ側ドライバ１０ＵＬの出力の組み合わせは３通りとなる。例示した電動モータ１２０は３相電動モータであるので、同様にＶ相及びＷ相についてもそれぞれＨ側ドライバ１０ＶＨ，１０ＷＨとＬ側ドライバ１０ＶＬ，１０ＷＬの出力の組み合わせは３通りとなる。
【００２６】
したがって、図４に示すように、３相全てのＨ側ドライバ１０ＵＨ，１０ＶＨ，１０ＶＷおよびＬ側ドライバ１０ＵＬ，１０ＶＬ，１０ＷＬについての出力の組み合わせは、独立事象で考えた場合、２７通りとなる。言い換えると、３相全てのＨ側ドライバ１０ＵＨ，１０ＶＨ，１０ＶＷおよびＬ側ドライバ１０ＵＬ，１０ＶＬ，１０ＷＬに入力される制御信号の組み合わせは２７通りとなる。つまり、変調回路７では２７通りの制御信号を変調して電動モータ１２０の相数（３相）よりも少ない数（１本）の信号線８で伝送し、復調回路９では２７通りの制御信号に復調してＨ側ドライバ１０ＵＨ，１０ＶＨ，１０ＶＷおよびＬ側ドライバ１０ＵＬ，１０ＶＬ，１０ＷＬに伝送している。
【００２７】
なお、Ｕ相、Ｖ相、Ｗ相の３相すべてが、（＋）状態（Ｈ側ドライバ出力がすべてＨ、Ｌ側ドライバ出力がすべてＬ）、または、（−）状態（Ｈ側ドライバ出力がすべてＬ、Ｌ側ドライバ出力がすべてＨ）の組み合わせを除いて考えると２５通り（＝２７通り−２通り）となるが、説明簡単化のため、ここでは、２７通りとして記載する。また、制御対象の電動モータの相数が３相以外で有る場合には、電動モータの相数に合わせた数のＨ側ドライバやＬ側ドライバを用い、同様に電動モータの相数（ドライバ数）に合わせて制御信号の組み合わせ数となる。
【００２８】
図５〜図８は、変調回路および復調回路で用いる変調方法の例を示す図であり、図５は振幅変調、図６は位相変調、図７は周波数変調、図８はパルス幅変調の一例をそれぞれ示している。
【００２９】
図５に示すように、制御信号を信号の振幅の変化（違い）として変調する場合には、制御信号の内容（どの組み合わせであるか）を電圧振幅（２７通りの電圧振幅の何れか）に対応させて変化させて変調信号を生成する（つまり、制御信号を変調信号に変換する）。
また、図６に示すように、制御信号を信号の位相の変化（違い）として変調する場合には、制御信号の内容（どの組み合わせであるか）を位相（２７通りの位相の何れか）に対応させて変化させて変調信号を生成する（つまり、制御信号を変調信号に変換する）。また、図７に示すように、制御信号を信号の周波数の変化（違い）として変調する場合には、制御信号の内容（どの組み合わせであるか）を周波数（２７通りの周波数の何れか）に対応させて変化させて変調信号を生成する（つまり、制御信号を変調信号に変換する）また、図８に示すように、制御信号を信号のパルス幅の変化（違い）として変調する場合には、制御信号の内容（どの組み合わせであるか）をパルス幅（２７通りのパルス幅（Ｄｕｔｙ比でも良い）の何れか）に対応させて変化させて変調信号を生成する（つまり、制御信号を変調信号に変換する）。そして、変調回路７は、図５〜図８の何れかの方法に基づいて生成した変調信号を搬送波に重畳して信号線８に出力する。
【００３０】
以上のように構成した本実施の形態の効果を説明する。
【００３１】
従来技術においては、Ｎ相電動モータ（回転電機）を制御する場合には、制御回路の端子数、電動モータを駆動する駆動回路端子数、及びそれらを接続する配線数が電動モータの相数（Ｎ）だけ必要となる。したがって、配線の断線や短絡等のリスク回避のために配線の冗長化まで考慮すると端子数や配線数が大きく増加するため、電動モータの駆動制御装置の小型化のためには十分ではなかった。
【００３２】
これに対して本実施の形態においては、複数の相（例えば３相）を有する電動モータ１２０を駆動する駆動回路３と、駆動回路３を制御する制御信号を出力する制御回路２とを備え、制御回路２と駆動回路３とを接続して制御回路２からの制御信号を駆動回路３に伝送する信号線８を電動モータ１２０の相数（３相）よりも少ない数（１本）としたので、端子数や配線数を削減することにより小型化を図ることができる。
【００３３】
すなわち、複数のＨ側及びＬ側ドライバをそれぞれ制御するための制御信号を変調して信号線８に出力する変調回路７を制御回路２に設けるとともに、信号線８を介して伝送された制御信号を復調して複数のＨ側及びＬ側ドライバに出力する復調回路９とを備えたので、信号線８を電動モータ１２０の相数（３相）よりも少ない数（１本）とすることができ、端子数や配線数を削減することにより小型化を図ることができる。
【００３４】
なお、本実施の形態においては、制御回路２に変調回路７を設けるように構成したが、これに限られず、任意の変調方式をマイコン６内に組み込んだり、外付けで上述した変調方法（電圧、位相、周波数、パルス幅）以外の変調を行う変調回路を用いたりしても良い。
【００３５】
＜第２の実施の形態＞
第２の実施の形態を図９を参照しつつ説明する。
【００３６】
本実施の形態は、第１の実施の形態における信号線を伝送される制御信号の異常検知機能を有する場合を示すものである。
【００３７】
図９は、本実施の形態に係る電動モータの駆動制御装置の全体構成を概略的に示す図である。図中、第１の実施の形態と同様の部材には同じ符号を付し、説明を省略する。
【００３８】
図９において、駆動制御装置１は、操舵トルクの検出信号Ｓ１と車速信号Ｓ２とに基づいて電動モータ１２０の制御に用いる制御信号を生成する制御回路（ＣＰＵ）２と、制御回路２から信号線８を介して伝送される制御信号に基づいて電動モータ１２０を駆動する駆動回路３とを備えている。
【００３９】
駆動回路３は、電動モータ１２０に接続されたＵ相配線１２Ｕ、Ｖ相配線１２Ｖ、及びＷ相配線１２Ｗを介して接続された電動モータ１２０を駆動するインバータ回路５と、インバータ回路５を駆動する駆動信号（ゲート信号）を出力するインバータ用駆動回路（プリドライバＩＣ）４Ａとを備えている。
【００４０】
インバータ用駆動回路４Ａは、信号線８を介して伝送された制御信号（搬送波に重畳された変調信号）を復調（復元）する復調回路９と、復調回路９で復調した制御信号に基づいてインバータ回路５のＨ側スイッチング素子１１ＵＨ，１１ＶＨ，１１ＷＨをそれぞれオンオフ駆動（導通／遮断）する駆動信号（ゲート信号）を出力するＨ側ドライバ１０ＵＨ，１０ＶＨ，１０ＶＷと、Ｌ側スイッチング素子１１ＵＬ，１１ＶＬ，１１ＷＬをそれぞれオンオフ駆動（導通／遮断）する駆動信号（ゲート信号）を出力するＬ側ドライバ１０ＵＬ，１０ＶＬ，１０ＷＬと、信号線８にて伝送される制御信号のキャリア検出（搬送波検出）を行うキャリア検出部１３と備えている。
【００４１】
キャリア検出部１３は、信号線８を伝送されるキャリア（搬送波）を検出して搬送波の有無や異常を検知することによって異常検出機能を実現している。異常検出の結果は、Ｈ側ドライバ１０ＵＨ、１０ＶＨ、１０ＷＨ、Ｌ側ドライバ１０ＵＬ、１０ＶＬ、１０ＷＬや、制御回路２、さらに上位の制御装置に送られ、適切な制御を行う際の情報として用いられる。
【００４２】
その他の構成は第１の実施の形態と同様である。
【００４３】
以上のように構成した本実施の形態においても第１の実施の形態と同様の効果を得ることができる。
【００４４】
また、従来技術では制御回路と駆動回路の間の信号線に異常信号検知機能を組み込むには、電動モータの相数以上の信号線各々に対して異常信号検知機能を組み込む必要があったが、本実施の形態においては、制御回路２と駆動回路３間の電動モータ１２０の相数（３相）よりも少ない数（１本）の信号線８に異常信号検出機能を組み込むだけで良く、回路面積を小さくすることができる。
【００４５】
＜第３の実施の形態＞
本発明の第３の実施の形態を図１０を参照しつつ説明する。
【００４６】
本実施の形態は、第１の実施の形態における信号線を伝送される制御信号の誤り検出機能を有する場合を示すものである。
【００４７】
図１０は、本実施の形態に係る電動モータの駆動制御装置の全体構成を概略的に示す図である。図中、第１の実施の形態と同様の部材には同じ符号を付し、説明を省略する。
【００４８】
図１０において、駆動制御装置１は、操舵トルクの検出信号Ｓ１と車速信号Ｓ２とに基づいて電動モータ１２０の制御に用いる制御信号を生成する制御回路（ＣＰＵ）２と、制御回路２から信号線８を介して伝送される制御信号に基づいて電動モータ１２０を駆動する駆動回路３とを備えている。
【００４９】
制御回路２は、操舵トルクの検出信号Ｓ１と車速信号Ｓ２とに基づいて電動モータ１２０の制御に用いる制御信号を生成するマイコン６と、マイコン６で生成した制御信号を変調（変換）して変調信号を生成し、搬送波に重畳して信号線８に出力する変調回路７Ａとを備えている。
【００５０】
駆動回路３は、電動モータ１２０に接続されたＵ相配線１２Ｕ、Ｖ相配線１２Ｖ、及びＷ相配線１２Ｗを介して接続された電動モータ１２０を駆動するインバータ回路５と、インバータ回路５を駆動する駆動信号（ゲート信号）を出力するインバータ用駆動回路（プリドライバＩＣ）４とを備えている。
【００５１】
インバータ用駆動回路４は、信号線８を介して伝送された制御信号（搬送波に重畳された変調信号）を復調（復元）する復調回路９Ａと、復調回路９Ａで復調した制御信号に基づいてインバータ回路５のＨ側スイッチング素子１１ＵＨ，１１ＶＨ，１１ＷＨをそれぞれオンオフ駆動（導通／遮断）する駆動信号（ゲート信号）を出力するＨ側ドライバ１０ＵＨ，１０ＶＨ，１０ＶＷと、Ｌ側スイッチング素子１１ＵＬ，１１ＶＬ，１１ＷＬをそれぞれオンオフ駆動（導通／遮断）する駆動信号（ゲート信号）を出力するＬ側ドライバ１０ＵＬ，１０ＶＬ，１０ＷＬと備えている。
【００５２】
変調回路７Ａは、マイコン６で生成した制御信号の他に、誤り検出・訂正用の情報を変調（変換）して変調信号を生成する。例えば、電動モータ１２０の制御信号のパターンを２７通りとしたとき、ビットデータに変換すると５bit分のデータ量となる。誤り訂正にハミング符号を用いる場合には５bitの情報に対する誤り訂正用の冗長bitデータ量は４bit必要となるため、冗長bitデータを変調した１６パターンの信号を制御情報の変調（変換）と同様に変調信号を生成する。そして、制御用の変調信号と誤り検出・訂正用の変調信号とを交互に信号線８に伝送する。
【００５３】
復調回路９Ａは、信号線８から伝送された制御信号をビットデータに変換するビットデータ変換部１４と、ビットデータ変換部１４で変換されたビットデータのうち制御用の変調信号に相当するデータを保持するラッチ回路１５と、ビットデータ変換部１４で変換されたビットデータのうち誤り検出・訂正用のデータを保持するラッチ回路１６と、ラッチ回路１５，１６で保持されたビットデータに基づいてデータの誤り検出・訂正を行う誤り訂正部１７と、誤り訂正部１７からの制御信号をＨ側ドライバ１０ＵＨ，１０ＶＨ，１０ＶＷおよびＬ側ドライバ１０ＵＬ，１０ＶＬ，１０ＷＬの制御信号に変換するドライバ制御信号変換部１８とを備えている。
【００５４】
その他の構成は第１の実施の形態と同様である。
【００５５】
以上のように構成した本実施の形態においても第１の実施の形態と同様の効果を得ることができる。
【００５６】
また、制御回路２と駆動回路３間を電動モータ１２０の相数（３相）よりも少ない数（１本）の信号線８で接続したので、冗長化による配線数の増加量を抑制することができる。
【００５７】
＜第４の実施の形態＞
本発明の第４の実施の形態を図１１を参照しつつ説明する。
【００５８】
本実施の形態は、第１の実施の形態におけるインバータ回路等を冗長化した場合を示すものである。
【００５９】
図１１は、本実施の形態に係る電動モータの駆動制御装置の全体構成を概略的に示す図である。図中、第１の実施の形態と同様の部材には同じ符号を付し、説明を省略する。
【００６０】
図１１において、駆動制御装置１は、操舵トルクの検出信号Ｓ１と車速信号Ｓ２とに基づいて電動モータ１２０の制御に用いる制御信号を生成する制御回路（ＣＰＵ）２と、制御回路２から冗長構成された複数の信号線８，８ａを介して伝送される制御信号に基づいて電動モータ１２０を駆動する駆動回路３とを備えている。
【００６１】
駆動回路３は、電動モータ１２０に接続されたＵ相配線１２Ｕ、Ｖ相配線１２Ｖ、及びＷ相配線１２Ｗを介して接続された電動モータ１２０を駆動するとともに、他の駆動対象への駆動信号の出力２２を可能とするために冗長構成された複数のインバータ回路５Ａと、複数のインバータ回路５Ａをそれぞれ駆動する駆動信号（ゲート信号）を出力するインバータ用駆動回路（プリドライバＩＣ）４Ｂとを備えている。複数のインバータ回路５Ａでは、同様の構成を有するインバータ回路が並列的に用いられている。なお、出力２２は、電動モータ１２０を駆動するための各相の相配１２Ｕ，１２Ｖ，１２Ｗと切り替えられて電動モータ１２０を駆動する場合や、冗長構成した他の電動モータを駆動する場合や、又は、電動モータ１２０に冗長化された相を設けてそれを駆動する場合など用いられる。
【００６２】
インバータ用駆動回路４Ｂは、信号線８，８ａを伝送される制御信号のキャリア検出（搬送波検出）を行うキャリア検出部１３Ａと、キャリア検出部１３Ａの検出結果に基づいて信号線８，８ａの何れを伝送されてきた制御信号を復調回路９に入力するかを選択的に切り換える切換部２０と、切換部２０で選択された信号線８，８ａを介して伝送された制御信号（搬送波に重畳された変調信号）を復調（復元）する復調回路９と、復調回路９で復調した制御信号に基づいて重畳構成された複数のインバータ回路５Ａのそれぞれに駆動信号（ゲート信号）を出力する複数のＨ側ドライバおよびＬ側ドライバにより冗長構成されたドライバ群１０と、ドライバ群の各ドライバを流れる電流を検出してドライバ群１０の異常を検出する電源電流検出部１９と、復調回路９で復調された信号をドライバ群１０を構成する何れのドライバに出力するかをドライバ群１０の検出結果に基づいて切り換える切換部２１とを備えている。ドライバ群１０は、複数のインバータ回路５Ａを構成する各インバータ回路にそれぞれ対応して同様の構成を有するドライバ群が並列的に用いられている。
【００６３】
キャリア検出部１３Ａは、信号線８，８ａを伝送されるキャリア（搬送波）を検出して搬送波の有無や異常を検知することによって異常検出機能を実現している。異常検出の結果を切換部２０に出力することにより、切換部２０は異常なく制御信号が送信されている信号線８，８ａを選択し、選択した信号線を伝送されてきた制御信号を復調回路９に出力することができる。
【００６４】
電源電流検出部１９は、ドライバ群１０における各ドライバのを流れる電流等を検出することにより各ドライバの異常を検出し、検出結果を切換部２１に出力することにより、切換部２１は異常なく動作しているドライバ群を選択し、選択したドライバ群及びインバータ回路に切り換えることができる。
【００６５】
その他の構成は第１の実施の形態と同様である。
【００６６】
以上のように構成した本実施の形態においても第１の実施の形態と同様の効果を得ることができる。
【００６７】
また、復調回路９を冗長化する必要がないため、冗長化による回路面積の増加を抑制することができる。また、制御回路２と駆動回路３間を電動モータ１２０の相数（３相）よりも少ない数（２本）の信号線８，８ａで接続することができるので、冗長化による配線数の増加量を抑制することができる。
【００６８】
＜第５の実施の形態＞
本発明の第５の実施の形態を図１２を参照しつつ説明する。
【００６９】
本実施の形態は、第１の実施の形態における駆動回路を冗長化した場合を示すものである。
【００７０】
図１２は、本実施の形態に係る電動モータの駆動制御装置の全体構成を概略的に示す図である。図中、第１の実施の形態と同様の部材には同じ符号を付し、説明を省略する。
【００７１】
図１２において、駆動制御装置１Ａは、操舵トルクの検出信号Ｓ１と車速信号Ｓ２とに基づいて電動モータ１２０の制御に用いる制御信号を生成する制御回路（ＣＰＵ）２と、制御回路２から冗長構成された複数の信号線８，８ａを介して伝送される制御信号に基づいて電動モータ１２０を駆動するとともに、他の駆動対象への駆動信号の出力２２を可能とするために冗長構成された複数の駆動回路３Ａとを備えている。
【００７２】
その他の構成は第１の実施の形態と同様である。
【００７３】
以上のように構成した本実施の形態においても第１の実施の形態と同様の効果を得ることができる。
【００７４】
また、制御回路２と駆動回路３間を電動モータ１２０の相数（３相）よりも少ない数（２本）の信号線８，８ａで接続することができるので、冗長化による配線数の増加量を抑制することができる。
【００７５】
＜第６の実施の形態＞
本発明の第６の実施の形態を図１３を参照しつつ説明する。
【００７６】
本実施の形態は、第１の実施の形態における信号線８に複数の制御信号を重畳した制御信号を伝送する場合を示すものである。
【００７７】
図１３は、本実施の形態に係る電動モータの駆動制御装置の全体構成を概略的に示す図である。図中、第１の実施の形態と同様の部材には同じ符号を付し、説明を省略する。
【００７８】
１３において、駆動制御装置１は、操舵トルクの検出信号Ｓ１と車速信号Ｓ２とに基づいて電動モータ１２０の制御に用いる制御信号を生成する制御回路（ＣＰＵ）２と、制御回路２から信号線８を介して伝送される制御信号に基づいて電動モータ１２０を駆動する駆動回路３とを備えている。
【００７９】
制御回路２は、操舵トルクの検出信号Ｓ１と車速信号Ｓ２とに基づいて電動モータ１２０の制御に用いる制御信号を生成するマイコン６と、マイコン６で生成した制御信号を変調（変換）して変調信号を生成し、搬送波に重畳して信号線８に出力する変調回路７Ｂとを備えている。
【００８０】
駆動回路３は、電動モータ１２０に接続されたＵ相配線１２Ｕ、Ｖ相配線１２Ｖ、及びＷ相配線１２Ｗを介して接続された電動モータ１２０を駆動するインバータ回路５と、他の電動モータ２２Ａを駆動するインバータ回路２５と、インバータ回路５，２５を駆動する駆動信号（ゲート信号）を出力するインバータ用駆動回路（プリドライバＩＣ）４Ｃとを備えている。
【００８１】
インバータ用駆動回路４Ｃは、信号線８を介して伝送された制御信号を高周波成分の制御信号２３ａと低周波成分の制御信号２３ｂに分配する分配回路２３と、制御信号２３ａとして伝送された制御信号（搬送波に重畳された変調信号）を復調（復元）する復調回路９と、復調回路９で復調した制御信号に基づいてインバータ回路５のＨ側スイッチング素子（１１ＵＨ，１１ＶＨ，１１ＷＨ）をそれぞれオンオフ駆動（導通／遮断）する駆動信号（ゲート信号）を出力するＨ側ドライバ１０ＵＨ，１０ＶＨ，１０ＶＷと、Ｌ側スイッチング素子（１１ＵＬ，１１ＶＬ，１１ＷＬ）をそれぞれオンオフ駆動（導通／遮断）する駆動信号（ゲート信号）を出力するＬ側ドライバ１０ＵＬ，１０ＶＬ，１０ＷＬと、制御信号２３ｂとして伝送された制御信号に基づいて、駆動制御対象（電動モータ）２２Ａを駆動する低周波駆動回路２４とを備えている。
【００８２】
変調回路７Ｂは、マイコン６で生成した電動モータ１２０の制御信号を変調した変調信号の他に、駆動制御対象２２Ａの制御信号を他の周波数帯の変調信号制御信号）としてさらに重ねて信号線８に出力する。なお、ここでは、電動モータ１２０の制御信号を高周波数帯、駆動制御対象２２Ａの制御信号を低周波数帯として説明する。
【００８３】
分配回路２３は、信号を周波数ごとに分配する機能（セパレータ及びスプリッタの機能）を有しており、信号線８を伝送されてきた信号のうち、ある周波数帯（例えば、高周波数帯）の制御信号２３ａを復調回路９に出力するとともに、他の周波数帯（例えば、低周波数帯）の制御信号２３ｂを復調回路２４ａに出力する。
【００８４】
低周波駆動回路２４は、制御信号２３ｂとして伝送された制御信号（搬送波に重畳された変調信号）を復調（復元）する復調回路２４ａと、復調回路２４ａで復調した制御信号に基づいてインバータ回路２５のＨ側及びＬ側スイッチング素子をそれぞれオンオフ駆動（導通／遮断）する駆動信号（ゲート信号）を出力するドライバ群２４ｂとを備えている。低周波駆動回路２４は、電動モータ１２０とは異なる周波数帯の駆動信号で駆動されるものであり、例えば、電動モータ１２０よりも低い周波数帯の駆動信号で駆動されるものである。
【００８５】
その他の構成は第１の実施の形態と同様である。
【００８６】
以上のように構成した本実施の形態においても第１の実施の形態と同様の効果を得ることができる。
【００８７】
また、主となる駆動対象（例えば、電動モータ１２０）とは異なる周波数帯の制御信号（低周波信号）で駆動制御可能な低周波駆動回路２４を電動モータ１２０と同時に制御することができる。
【００８８】
なお、本実施の形態では、電動モータ２２Ａを低周波駆動回路２４の駆動制御対象の一例として説明したが、これに限られず、他の駆動制御対象を駆動する低周波駆動回路に対して制御信号を出力して他の駆動制御対象を駆動するように構成しても良い。
【００８９】
また、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、上記の各構成、機能等は、それらの一部又は全部を、例えば集積回路で設計する等により実現してもよい。また、上記の各構成、機能等は、プロセッサがそれぞれの機能を実現するプログラムを解釈し、実行することによりソフトウェアで実現してもよい。
【符号の説明】
【００９０】
１  駆動制御装置
２  制御回路（ＣＰＵ）
３，３Ａ  駆動回路
４，４Ａ，４Ｂ，４Ｃ  インバータ用駆動回路（プリドライバＩＣ）
５，５Ａ  インバータ回路
６  マイコン
７，７Ａ，７Ｂ  変調回路
８，８ａ  信号線
９，９Ａ  復調回路
１０  ドライバ群
１０ＵＨ，１０ＶＨ，１０ＷＨ  Ｈ側ドライバ（スイッチング素子ドライバ）
１０ＵＬ，１０ＶＬ，１０ＷＬ  Ｌ側ドライバ（スイッチング素子ドライバ）
１１ＵＨ，１１ＶＨ，１１ＷＨ  Ｈ側スイッチング素子
１１ＵＬ，１１ＶＬ，１１ＷＬ  Ｌ側スイッチング素子
１２Ｕ  Ｕ相配線
１２Ｖ  Ｖ相配線
１２Ｗ  Ｗ相配線
１３，１３Ａ  キャリア検出部
１４  ビットデータ変換部
１５，１６  ラッチ回路
１７  誤り訂正部
１８  ドライバ制御信号変換部
１９  電源電流検出部
２０，２１  切換部
２２  出力
２２Ａ，  駆動制御対象（電動モータ）
２３  分配回路
２３ａ，２３ｂ  制御信号
２４  低周波駆動回路
２４ａ  復調回路
２４ｂ  ドライバ群
２５  インバータ回路
１００  ステアリングホイール
１１０  操舵トルクセンサ
１２０  電動モータ
１４０  ステアリングシャフト
１５０  電動パワーステアリング装置
１６０  減速器
１７０  ピニオンギア
１８０  ラック軸
２００  車輪
【図１】
0006694063.tif 000002
【図２】
0006694063.tif 000003
【図３】
0006694063.tif 000004
【図４】
0006694063.tif 000005
【図５】
0006694063.tif 000006
【図６】
0006694063.tif 000007
【図７】
0006694063.tif 000008
【図８】
0006694063.tif 000009
【図９】
0006694063.tif 000010
【図１０】
0006694063.tif 000011
【図１１】
0006694063.tif 000012
【図１２】
0006694063.tif 000013
【図１３】
0006694063.tif 000014